(57)【要約】【課題】一般にモバイルユースでは、映像音響コンテンツを短い時間で効率的に視聴したいというニーズが強いと考えられるが、記録レートを下げて記録しても視聴に要する時間は同じである。また、短時間視聴のために再生速度変換処理をモバイル機器で行うことは、機器の処理負荷が大きくなりハードウエアリソースや消費電力の増大を招きモバイル機器にとっては好ましくない。【解決手段】従来の課題を解決するために、ホームユース用の第１の記録メディアには通常の再生速度で再生できるコンテンツを記録し、モバイルユース用の第２の記録メディアには予め再生時間を短縮する処理を施したコンテンツを記録する。  このことによって、モバイル機器のハードウエア仕様を高くすることなく、モバイルユースでの短時間視聴を実現できる。【選択図】図１
2007214607.tif 000002
【特許請求の範囲】
【請求項１】
複数の記録メディアに映像音響コンテンツを記録する装置であって、
放送信号を受信する放送信号受信部と、
前記放送信号受信部の出力データを符号化する第１符号化部と、
前記第１符号化部の出力データを記録する第１記録部と、
前記放送信号受信部の出力データを入力し、前記映像及び音響信号の再生時間を変更する処理を行う再生時間変更処理部と、
前記再生時間変更処理部の出力データを符号化する第２符号化部と、
前記第２符号化部の出力データを記録する第２記録部と、
前記第１記録部と前記第２記録部に記録される前記複数の映像音響コンテンツを関連付ける情報を作成するリンク情報作成部とを備えることを特徴とする映像音響コンテンツ記録装置。
【請求項２】
前記再生時間変更処理部は、入力される映像及び音響信号の再生速度を変更する処理を行うことで再生時間を変更するものであることを特徴とする請求項１記載の映像音響コンテンツ記録装置。
【請求項３】
前記再生時間変更処理部は、入力される映像及び音響信号の時間軸上の一部分を切り出す処理を行うことで再生時間を変更するものであることを特徴とする請求項１記載の映像音響コンテンツ記録装置。
【請求項４】
前記時間軸上の一部分を切り出す処理は、入力される音響信号の内容を解析することによって音声が含まれている区間を判定し、前記音声が含まれている区間を切り出すものであることを特徴とする請求項３記載の映像音響コンテンツ記録装置。
【請求項５】
前記時間軸上の一部分を切り出す処理は、切り出すべき区間を判定できる時間情報を少なくとも含むデータを外部より入力し、前記時間情報に従って切り出すものであることを特徴とする請求項３記載の映像音響コンテンツ記録装置。
【請求項６】
複数の記録メディアに映像音響コンテンツを記録する装置であって、
放送信号を受信する放送信号受信部と、
前記放送信号受信部の出力データを符号化する第１符号化部と、
前記第１符号化部の出力データを記録する第１記録部と、
前記第１記録部に記録されたデータ読み出すＡＶ信号読出し部と、
前記ＡＶ信号読出し部の出力データを入力し、前記映像及び音響信号の再生時間を変更する処理を行う再生時間変更処理部と、
前記再生時間変更処理部の出力データを符号化する第２符号化部と、
前記第２符号化部の出力データを記録する第２記録部と、
前記第１記録部と前記第２記録部に記録される前記複数の映像音響コンテンツを関連付ける情報を作成するリンク情報作成部とを備えることを特徴とする映像音響コンテンツ記録装置。
【請求項７】
前記再生時間変更処理部は、入力される映像及び音響信号の再生速度を変更する処理を行うことで再生時間を変更するものであることを特徴とする請求項６記載の映像音響コンテンツ記録装置。
【請求項８】
前記再生時間変更処理部は、入力される映像及び音響信号の時間軸上の一部分を切り出す処理を行うことで再生時間を変更するものであることを特徴とする請求項６記載の映像音響コンテンツ記録装置。
【請求項９】
前記時間軸上の一部分を切り出す処理は、入力される音響信号の内容を解析することによって音声が含まれている区間を判定し、前記音声が含まれている区間を切り出すものであることを特徴とする請求項８記載の映像音響コンテンツ記録装置。
【請求項１０】
前記時間軸上の一部分を切り出す処理は、切り出すべき区間を判定できる時間情報を少なくとも含むデータを外部より入力し、前記時間情報に従って切り出すものであることを特徴とする請求項８記載の映像音響コンテンツ記録装置。
【請求項１１】
複数の記録メディアに映像音響コンテンツを記録する方法であって、
放送信号を受信して前記放送信号に含まれる映像及び音響信号を出力して分岐し、
一方の出力は、第１の記録メディアに前記映像及び音響信号と同じ再生時間で再生できるＡＶコンテンツを記録し、
また他方の出力は、第２の記録メディアに入力した前記映像及び音響信号とは異なる時間で再生できるように再生時間の変更処理を行った映像音響コンテンツを記録し、
さらに前記第１の記録メディアと前記第２の記録メディアに記録される前記複数の映像音響コンテンツを関連付ける情報を加えて記録することを特徴とする映像音響コンテンツ記録方法。
【請求項１２】
再生時間の変更処理は、入力される映像及び音響信号の再生速度を変更する処理を行うことで再生時間を変更するものであることを特徴とする請求項１１記載の映像音響コンテンツ記録方法。
【請求項１３】
再生時間の変更処理は、入力される映像及び音響信号の時間軸上の一部分を切り出す処理を行うことで再生時間を変更するものであることを特徴とする請求項１１記載の映像音響コンテンツ記録方法。
【請求項１４】
前記時間軸上の一部分を切り出す処理は、入力される音響信号の内容を解析することによって音声が含まれている区間を判定し、前記音声が含まれている区間を切り出すものであることを特徴とする請求項１３記載の映像音響コンテンツ記録方法。
【請求項１５】
前記時間軸上の一部分を切り出す処理は、切り出すべき区間を判定できる時間情報を少なくとも含むデータを外部より入力し、前記時間情報に従って切り出すものであることを特徴とする請求項１３記載の映像音響コンテンツ記録方法。
【請求項１６】
複数の記録メディアに映像音響コンテンツを記録する方法であって、
放送信号を受信して前記放送信号に含まれる映像及び音響信号を出力し、
まず第１の記録メディアに、前記映像及び音響信号と同じ再生時間で再生できるＡＶコンテンツを記録し、
次に第１の記録メディアから記録されたＡＶデータを読み出し、読み出した前記映像及び音響信号とは異なる時間で再生できるように再生時間の変更処理を行った後に第２の記録メディアに映像音響コンテンツを記録し、
さらに前記第１の記録メディアと前記第２の記録メディアに記録される前記複数の映像音響コンテンツを関連付ける情報を加えて記録することを特徴とする映像音響コンテンツ記録方法。
【請求項１７】
再生時間の変更処理は、入力される映像及び音響信号の再生速度を変更する処理を行うことで再生時間を変更するものであることを特徴とする請求項１６記載の映像音響コンテンツ記録方法。
【請求項１８】
再生時間の変更処理は、入力される映像及び音響信号の時間軸上の一部分を切り出す処理を行うことで再生時間を変更するものであることを特徴とする請求項１６記載の映像音響コンテンツ記録方法。
【請求項１９】
前記時間軸上の一部分を切り出す処理は、入力される音響信号の内容を解析することによって音声が含まれている区間を判定し、前記音声が含まれている区間を切り出すものであることを特徴とする請求項１８記載の映像音響コンテンツ記録方法。
【請求項２０】
前記時間軸上の一部分を切り出す処理は、切り出すべき区間を判定できる時間情報を少なくとも含むデータを外部より入力し、前記時間情報に従って切り出すものであることを特徴とする請求項１８記載の映像音響コンテンツ記録方法。
【発明の詳細な説明】
【技術分野】
【０００１】
本発明は映像音響コンテンツの記録を行う映像音響コンテンツ記録装置において、複数の記録メディアに映像音響コンテンツの記録を行う装置または方法に関するものである。
【背景技術】
【０００２】
近年では、テレビ番組などを記録した映像音響コンテンツを携帯型の再生機でみることが可能となった。そのような目的を実現するものとして映像音響コンテンツをメモリカードに記録し、そのメモリカードに記録された映像音響データを映像表示及び音声再生するものがある（例えば、特許文献１参照）。
【０００３】
また特に携帯型の再生機での視聴においては、例えば１時間のテレビ番組を３０分で再生するように、より効率的に映像音響コンテンツを視聴したいというニーズが強いと考えられ、このことは携帯型再生機にとっても限られた記憶容量や電力容量を考慮すれば有意義なことである。そこでそのための１つの手段として、映像音響コンテンツの再生速度を早める処理を施したコンテンツをあらかじめ作成して携帯型再生機用の記録メディアに記録することが考えられる。
【０００４】
そのような目的を実現するものとして、再生速度を早める処理を施したコンテンツを作成し、通常再生用のコンテンツと伴に記録するものがある（例えば、特許文献２参照）。
【０００５】
また映像音響コンテンツの再生に要する時間を短縮する別の手段として、映像音響コンテンツ全体の中の重要な部分など時間軸上の一部を切り出した別のコンテンツを作成することが考えられる。
【０００６】
そのような目的を実現するものとして、映像音響コンテンツ全体の中のダイジェスト版のコンテンツを作成し、通常再生用のコンテンツと伴に記録するものがある（例えば、特許文献３参照）。
【特許文献１】特開２００３−１０１９２１号公報
【特許文献２】特開２０００−３４１６２５号公報
【特許文献３】特開２００２−３３０３９０号公報
【発明の開示】
【発明が解決しようとする課題】
【０００７】
しかしながら、従来技術の第１の例では、メモリカードに記録される携帯型再生機用のコンテンツについて、その再生時間を短縮するような構成は備えていない。従って、例えばテレビ番組を１時間記録した場合は、その再生にも１時間要することになる。
【０００８】
そこで短時間視聴のために再生速度を早くする処理を再生時に携帯型再生機で行うことが考えられるが、その方法は携帯型再生機の処理負荷が大きくなりハードウエアリソースや消費電力の増大を招き携帯型再生機にとって好ましくない方法である。
【０００９】
また従来技術の第２の例及び第３の例では、通常再生用コンテンツとは別に予めその再生時間を短縮したコンテンツを作成して記録する構成を備えているものの、いずれの従来例においても通常再生用のコンテンツと短時間再生用のコンテンツは同一の記録メディアに保存されるものであって、短時間再生用のコンテンツのみを携帯型再生機に適した記録メディアや記録データ形式で作成して記録するための構成は備えていない。従って第２の例及び第３の例の構成で作成された短時間再生用コンテンツを携帯型再生機で視聴するためには、別途携帯型再生機に適した記録メディアや記録データ形式で記録できる装置を接続して短時間再生用コンテンツをコピーする操作を新たに行う必要がある。
【００１０】
本発明は、前記従来の課題を解決するもので、再生速度変換などの特殊再生のために携帯型再生機のハードウエア仕様を高くすることなく、携帯型再生機において短時間で効率よく視聴できる映像音響コンテンツの作成を、据え置き機器において通常に再生する映像音響コンテンツの作成とあわせて自動的に行うことを可能とする記録装置または方法を提供することを目的とする。
【課題を解決するための手段】
【００１１】
従来の課題を解決するために、請求項１の発明は、複数の記録メディアに映像音響コンテンツを作成する装置であって、放送信号を受信する放送信号受信部と、前記放送信号受信部の出力データを符号化する第１符号化部と、前記第１符号化部の出力データを記録する第１記録部と、前記放送信号受信部の出力データを入力し、前記映像及び音響信号の再生時間を変更する処理を行う再生時間変更処理部と、前記再生時間変更処理部の出力データを符号化する第２符号化部と、前記第２符号化部の出力データを記録する第２記録部と、前記第１記録部と前記第２記録部に記録される前記複数の映像音響コンテンツを関連付ける情報を作成するリンク情報作成部とを備えることを特徴とする映像音響コンテンツ記録装置である。
【００１２】
また、請求項２の発明は、前記再生時間変更処理部は、入力される映像及び音響信号の再生速度を変更する処理を行うことで再生時間を変換するものであることを特徴とする請求項１記載の映像音響コンテンツ記録装置である。
【００１３】
また、請求項３の発明は、前記再生時間変更処理部は、入力される映像及び音響信号の時間軸上の一部分を切り出す処理を行うことで再生時間を変更するものであることを特徴とする請求項１記載の映像音響コンテンツ記録装置である。
【００１４】
また、請求項４の発明は、前記時間軸上の一部分を切り出す処理は、入力される音響信号の内容を解析することによって音声が含まれている区間を判定し、前記音声が含まれている区間を切り出すものであることを特徴とする請求項３記載の映像音響コンテンツ記録装置である。
【００１５】
また、請求項５の発明は、前記時間軸上の一部分を切り出す処理は、切り出すべき区間を示す時間情報を少なくとも含むデータを外部より入力し、前記切り出すべき区間を示す時間情報に従って切り出すものであることを特徴とする請求項３記載の映像音響コンテンツ記録装置である。
【００１６】
また、請求項６の発明は、複数の記録メディアに映像音響コンテンツを作成する装置であって、放送信号を受信する放送信号受信部と、前記放送信号受信部の出力データを符号化する第１符号化部と、前記第１符号化部の出力データを記録する第１記録部と、前記第１記録部に記録されたデータ読み出すＡＶ信号読出し部と、前記放送信号受信部の出力データを入力し、前記映像及び音響信号の再生時間を変更する処理を行う再生時間変更処理部と、前記再生時間変更処理部の出力データを符号化する第２符号化部と、前記第２符号化部の出力データを記録する第２記録部と、前記第１記録部と前記第２記録部に記録される前記複数の映像音響コンテンツを関連付ける情報を作成するリンク情報作成部とを備えることを特徴とする映像音響コンテンツ記録装置である。
【００１７】
また、請求項７の発明は、前記再生時間変更処理部は、入力される映像及び音響信号の再生速度を変換する処理を行うことで再生時間を変更するものであることを特徴とする請求項６記載の映像音響コンテンツ記録装置である。
【００１８】
また、請求項８の発明は、前記再生時間変更処理部は、入力される映像及び音響信号の時間軸上の一部分を切り出す処理を行うことで再生時間を変更するものであることを特徴とする請求項６記載の映像音響コンテンツ記録装置である。
【００１９】
また、請求項９の発明は、前記時間軸上の一部分を切り出す処理は、入力される音響信号の内容を解析することによって音声が含まれている区間を判定し、前記音声が含まれている区間を切り出すものであることを特徴とする請求項８記載の映像音響コンテンツ記録装置である。
【００２０】
また、請求項１０の発明は、前記時間軸上の一部分を切り出す処理は、切り出すべき区間を示す時間情報を少なくとも含むデータを外部より入力し、前記切り出すべき区間を示す時間情報に従って切り出すものであることを特徴とする請求項８記載の映像音響コンテンツ記録装置である。
【００２１】
また、請求項１１の発明は、複数の記録メディアに映像音響コンテンツを作成する方法であって、放送信号を受信して前記放送信号に含まれる映像及び音響信号を出力し、第１の記録メディアに、前記映像及び音響信号と同じ再生時間で再生できるＡＶコンテンツを記録し、また第２の記録メディアには、入力した前記映像及び音響信号より短い時間で再生できるように再生時間の変更処理を行った映像音響コンテンツを記録し、さらに前記第１の記録メディアと前記第２の記録メディアに記録される前記複数の映像音響コンテンツを関連付ける情報を加えて記録することを特徴とする映像音響コンテンツ記録方法である。
【００２２】
また、請求項１２の発明は、再生時間の変更処理は、入力される映像及び音響信号の再生速度を変換する処理を行うことで再生時間を変更するものであることを特徴とする請求項１１記載の映像音響コンテンツ記録方法である。
【００２３】
また、請求項１３の発明は、再生時間の変更処理は、入力される映像及び音響信号の時間軸上の一部分を切り出す処理を行うことで再生時間を変更するものであることを特徴とする請求項１１記載の映像音響コンテンツ記録方法である。
【００２４】
また、請求項１４の発明は、前記時間軸上の一部分を切り出す処理は、入力される音響信号の内容を解析することによって音声が含まれている区間を判定し、前記音声が含まれている区間を切り出すものであることを特徴とする請求項１３記載の映像音響コンテンツ記録方法である。
【００２５】
また、請求項１５の発明は、前記時間軸上の一部分を切り出す処理は、切り出すべき区間を示す時間情報を少なくとも含むデータを外部より入力し、前記切り出すべき区間を示す時間情報に従って切り出すものであることを特徴とする請求項１３記載の映像音響コンテンツ記録方法である。
【００２６】
また、請求項１６の発明は、複数の記録メディアに映像音響コンテンツを作成する方法であって、放送信号を受信して前記放送信号に含まれる映像及び音響信号を出力し、第１の記録メディアに、前記映像及び音響信号と同じ再生時間で再生できるＡＶコンテンツを記録し、また第１の記録メディアから記録されたＡＶデータを読み出し、入力した前記映像及び音響信号より短い時間で再生できるように再生時間の変更処理を行った後に第２の記録メディアに映像音響コンテンツを記録し、さらに前記第１の記録メディアと前記第２の記録メディアに記録される前記複数の映像音響コンテンツを関連付ける情報を加えて記録することを特徴とする映像音響コンテンツ記録方法である。
【００２７】
また、請求項１７の発明は、再生時間の変更処理は、入力される映像及び音響信号の再生速度を変換する処理を行うことで再生時間を変更するものであることを特徴とする請求項１６記載の映像音響コンテンツ記録方法である。
【００２８】
また、請求項１８の発明は、再生時間の変更処理は、入力される映像及び音響信号の時間軸上の一部分を切り出す処理を行うことで再生時間を変更するものであることを特徴とする請求項１６記載の映像音響コンテンツ記録方法である。
【００２９】
また、請求項１９の発明は、前記時間軸上の一部分を切り出す処理は、入力される音響信号の内容を解析することによって音声が含まれている区間を判定し、前記音声が含まれている区間を切り出すものであることを特徴とする請求項１８記載の映像音響コンテンツ記録方法である。
【００３０】
また、請求項２０の発明は、前記時間軸上の一部分を切り出す処理は、切り出すべき区間を示す時間情報を少なくとも含むデータを外部より入力し、前記切り出すべき区間を示す時間情報に従って切り出すものであることを特徴とする請求項１８記載の映像音響コンテンツ記録方法である。
【発明の効果】
【００３１】
本発明の映像音響コンテンツの記録装置によれば、再生速度変換などの特殊再生のために携帯型再生機のハードウエア仕様を高くすることなく、携帯型再生機において短時間で効率よく視聴できる映像音響コンテンツの作成を、据え置き機器において通常に再生する映像音響コンテンツの作成とあわせて自動的に行うことを可能とする記録装置を提供することが可能となる。
【発明を実施するための最良の形態】
【００３２】
以下本発明の実施の形態について、図面を参照しながら説明する。
【００３３】
（実施の形態１）
図３は、本発明を適用する機器群とその関係を示すイメージ図である。図３において、据え置き型ＡＶレコーダ２０１は、テレビアンテナ２０２より受信した放送信号に含まれるテレビ番組などを記録及び再生する機能を有している。さらに据え置き型ＡＶレコーダ２０１は、光ディスクドライブ２０３とメモリカードスロット２０４を有し、光ディスク２０５とメモリカード２０６の２種類の記録メディアにテレビ番組などを記録した映像音響コンテンツを作成することができる。光ディスク２０５に記録された映像音響コンテンツは、据え置き型ＡＶレコーダ２０１で再生し、これと接続された映像ディスプレイ２０７及びスピーカ２０８で視聴するものであり、メモリカード２０６に記録された映像音響コンテンツは、携帯型再生機２０９で再生及び視聴するものである。尚、据え置き型ＡＶレコーダ２０１で再生するための映像音響コンテンツを記録する別の記録メディアとして、据え置き型ＡＶレコーダ２０１に内蔵されているハードディスク２１０でもよいものとし、どの記録メディアに記録されるかはユーザーの選択操作により決められるものとする。これらの機器群を利用することによって、ユーザーはテレビ番組などを記録した映像音響コンテンツを据え置きＡＶレコーダ２０１でも携帯型再生機２０９でも視聴することができる。
【００３４】
図１は、本発明の実施の形態１における映像音響コンテンツの記録装置のブロック図である。また図４は、本発明の実施の形態１における映像音響コンテンツの記録装置の記録動作のフローチャートである。
【００３５】
以下に図１及び図４に従って、本発明の実施の形態１における映像音響コンテンツの記録装置の記録動作について説明する。
【００３６】
図１において、テレビ番組などを含む放送信号は放送信号受信部１０１に入力され、ここにおいて放送信号が復調され映像及び音響信号が出力される。
【００３７】
放送信号受信部１０１から出力された映像及び音響信号は、据え置き機器用と携帯型再生機用の２種類の映像音響コンテンツを作成するために２つに分岐し、一方は第１符号化部１０２において、ＭＰＥＧ２（Ｍｏｖｉｎｇ  Ｐｉｃｔｕｒｅ  Ｅｘｐｅｒｔｓ  Ｇｒｏｕｐ）方式によって符号化され（Ｓ１）、第１記録部１０３において据え置き機器の記録メディアである光ディスクに記録するフォーマットに変換されて記録される（Ｓ２）。
【００３８】
また放送信号受信部１０１から分岐されたもう一方の信号は、再生時間変更処理部１０４において、映像音響コンテンツの再生時間を元の放送時の再生時間より短縮する処理を行う。再生時間を短縮する処理については、一旦再生時間変更処理部１０４内のバッファメモリに映像及び音響信号を取り込み（Ｓ３）、その後早送り再生を行う（Ｓ４）ものとするが、特に音響信号については、早送り再生時においても音のピッチが通常再生時と同じに保たれるように、例えば特許第２８９０５３０号公報に書かれている方法を用いるものとする。
【００３９】
そしてこのデータは、第２符号化部１０５においてＭＰＥＧ４方式によって符号化され（Ｓ５）、第２記録部１０６において携帯型再生機用の記録メディアであるメモリカードに記録するフォーマットに変換されて記録される（Ｓ６）。このようにしてメモリカードに記録された映像音響コンテンツは、予め再生時間を短くする処理を行ったデータを記録しているので、携帯型再生機においては通常の再生機能で短時間視聴を実現することができる。
【００４０】
また以上のようにして第１記録部１０３と第２記録部１０６において記録された映像音響コンテンツは、それぞれ別々の記録メディアに記録されたものであるが、元来は１つの映像及び音響信号であるので、２つのコンテンツの管理はお互いを関連付けて管理されるのが望ましい。
【００４１】
そこで２つのコンテンツを関連付けて管理するために、リンク情報作成部１０７において第１記録部１０３と第２記録部１０６において記録された２つのコンテンツを関連付けるリンク情報を作成し、第１記録部１０３と第２記録部１０６において映像及び音響データの記録が終了した時点で、それぞれの記録メディアに記録する（Ｓ７）。
【００４２】
より具体的なリンク情報の作成方法は、放送信号受信部１０１において、記録するテレビ番組の番組名を番組情報を含む放送信号中から抽出し、その抽出した番組名をリンク情報作成部１０７において、それぞれの記録メディアに記録する映像音響コンテンツのタイトル名に適用して第１記録部１０３と第２記録部１０６に出力する。
【００４３】
このようにすることによって、別々の記録メディアに存在する２つの映像音響コンテンツが同じタイトル名を有することになるので、ユーザーは２つの映像音響コンテンツが同じテレビ番組を記録したものであると容易に認識することができる。
【００４４】
またリンク情報の内容は上記の番組名のほかに、記録する番組を特定できるＩＤコードなどの識別情報や、記録した日時情報、あるいは同時に記録されるもう一方の映像音響コンテンツの記録場所を特定できるアドレス情報などもリンク情報として用いてもよいものとする。
【００４５】
また以上のリンク情報は、第１記録部１０３と第２記録部１０６とは別に、据え置き機器に内蔵されるハードディスクあるいは不揮発性の半導体メモリなどの第３の記録部に記録して管理してもよいものとする。
【００４６】
以上の構成により、据え置き機器において通常に再生する映像音響コンテンツと携帯型再生機において短時間で効率よく視聴できる映像音響コンテンツの作成を自動的に行うことが可能となる。
【００４７】
（実施の形態２）
図２は、本発明の実施の形態２における映像音響コンテンツの記録装置のブロック図である。また図５は、本発明の実施の形態２における映像音響コンテンツの記録装置の記録動作のフローチャートである。以下に図２及び図５に従って、本発明の実施の形態２における映像音響コンテンツの記録装置の記録動作について説明する。但し、図１と同一部分には同一符号を付しその動作に関する説明を割愛する。
【００４８】
実施の形態２は実施の形態１と比較して、携帯型再生機で再生する映像音響コンテンツの作成方法において異なる。
【００４９】
本実施の形態においては、放送信号受信部１０１から出力された映像及び音響信号から、まず最初に据え置き機器用の映像音響コンテンツを作成する。そのために実施の形態１と同様に、第１符号化部１０２において、ＭＰＥＧ２方式によって符号化し（Ｓ１０）、第１記録部１０３において据え置き機器の記録メディアである光ディスクに記録するフォーマットに変換して記録する（Ｓ１１）。
【００５０】
また携帯型再生機で再生する映像音響コンテンツについては、光ディスクへの書き込みが終了した後（Ｓ１２）に作成する。さらに再生時間を変更する処理として、据え置き機器で再生する映像音響コンテンツの内容を分析し、重要な部分のみを切り出す処理を行うものとする。そのような映像音響コンテンツを作成するために、第１記録部１０３で記録された据え置き機器で再生する映像音響コンテンツをＡＶ信号読出し部１０８で読み出し（Ｓ１３）、読出した映像音響信号のうち、重要な部分のみダイジェスト抽出部１０９で抽出して、第２符号化部１０５に出力する。本実施の形態においては、人の声を含む音声区間を重要区間として抽出するものとする（Ｓ１４）。音声区間の検出方法は特に限定するものではなく、例えば音響信号の音声帯域の周波数スペクトラムを分析し、特定の周波数成分が極大極小値を示すような形状であることによって検出するものとする。
【００５１】
またダイジェスト抽出部１０９における別の動作として、上記の通り本発明の構成内で重要区間を抽出するのではなく、本発明の構成外で作成された重要区間を示す時間情報を外部機器とのインターフェイス（図示せず）を通してダイジェスト抽出部１０９に入力し、その時間情報に基づいて重要な部分をダイジェスト抽出部１０９で抽出するものでもよいとする。
【００５２】
尚、上記の本発明の構成外で作成される重要区間を示す時間情報は、例えば記録するテレビ番組の制作者のマニュアル操作によって制作され提供されるものなどを想定している。
【００５３】
以上の重要区間抽出以降の第２符号化部１０５及び第２記録部１０６の動作（Ｓ１５、Ｓ１６）は、実施の形態１と同様のものであり、先に光ディスクに書き込まれた据え置き機器用の映像音響コンテンツの全区間に対して光ディスクからの読み出しとそれに続く音声区間の判定及びメモリカードへの書き込みが終了した時点（Ｓ１７）で、リンク情報作成部１０７でリンク情報が作成され光ディスクとメモリカードに書き込まれて（Ｓ１８）全ての記録動作を終了する。
【００５４】
尚、上記の実施の形態では全ての映像及び音響データが光ディスクへ書き込まれた後（Ｓ１２）で光ディスクからの読み出しを行う処理フローを説明したが、全ての映像及び音響データの書き込み終了を待たずに、光ディスクから読み出すデータ量を管理しながら光ディスクへの書き込みと並行してＡＶ信号読出し部１０８での映像音響データの読み出し（Ｓ１３）とそれ以降の上記と同様の動作を行ってもよいものとする。
【００５５】
またさらに、ダイジェスト抽出部１０９で抽出された重要な部分の映像音響信号に対し、実施の形態１の構成にある再生時間変更処理部１０４によってさらに再生時間を短縮する処理を施した後、第２符号化部１０５に出力する構成であってもよいものとする。
【００５６】
以上の動作によって、携帯端末で再生する映像音響コンテンツを、据え置き機器で再生する映像音響コンテンツの重要な部分のみ切り出して作成することができるので、携帯型再生機での再生を短時間で効率よく行うことができる。
【産業上の利用可能性】
【００５７】
本発明にかかる映像音響コンテンツの記録装置は、再生速度変換などの特殊再生のために携帯型再生機のハードウエア仕様を高くすることなく、携帯型再生機において短時間で効率よく視聴できる映像音響コンテンツの作成を、据え置き機器において通常に再生する映像音響コンテンツの作成とあわせて自動的に行えるものとして有用である。
【図面の簡単な説明】
【００５８】
【図１】本発明の実施の形態１における映像音響コンテンツ記録装置のブロック図
【図２】本発明の実施の形態２における映像音響コンテンツ記録装置のブロック図
【図３】本発明を適用する機器群とその関係を示すイメージ図
【図４】本発明の実施の形態１における映像音響コンテンツ記録装置の記録動作のフローチャート
【図５】本発明の実施の形態２における映像音響コンテンツ記録装置の記録動作のフローチャート
【符号の説明】
【００５９】
１０１    放送信号受信部
１０２    第１符号化部
１０３    第１記録部
１０４    再生時間変更処理部
１０５    第２符号化部
１０６    第２記録部
１０７    リンク情報作成部
１０８    ＡＶ信号読出し部
１０９    ダイジェスト抽出部
２０１    据え置き型ＡＶレコーダ
２０２    テレビアンテナ
２０３    光ディスクドライブ
２０４    メモリカードスロット
２０５    光ディスク
２０６    メモリカード
２０７    映像ディスプレイ
２０８    スピーカ
２０９    携帯型再生機
２１０    ハードディスク
【図１】
2007214607.tif 000003
【図２】
2007214607.tif 000004
【図３】
2007214607.tif 000005
【図４】
2007214607.tif 000006
【図５】
2007214607.tif 000007